(57)【要約】【課題】    本発明は、両眼視差を用いた立体視が可能な印刷物に関するもので、極めて単純で安価に形成可能であって、特別な道具や複雑な装置を用いることなく裸眼立体視が可能な印刷物に関する。【解決手段】  光輝性材料を含むインキによる盛り上がりを有する画線を用い、画線面積率の差異で第1の画像を、画線角度の差異で第２の画像を形成する。第１の画像と第２の画像は同一図柄で構成され、対を成す図柄同士は所定距離ずらして形成する。光源、印刷物及び観察者の位置関係によって、右目（左目）は拡散反射光が支配的な観察角度領域にあり、左目（右目）は正反射が支配的な観察角度領域に入る場合、右目（左目）には第１の画像が、左目（右目）には第２の画像がそれぞれ絶縁表示されることとなり、両眼視差に基づく立体視が成立する。【選択図】  図２
2010264658.tif 000002
【特許請求の範囲】
【請求項１】
基材上の少なくとも一部に印刷領域を有し、前記印刷領域に、二つの画像を備えて成る立体視可能な印刷物において、
前記画像は、複数の画像要素が隣接されて成り、
前記複数の画像要素は、それぞれ異なる画線群から構成されており、前記画線群は、前記基材と異なる色の光輝性材料を含むインキによって、盛り上がりのある形状で、特定の面積率の画線を特定の角度に複数配列して成り、
前記複数の画像要素は、第１の角度を有した画線を第１の面積率で複数配列した第１の画線群から成る第１の画像要素と、第１の角度を有した画線を第１の面積率と異なる第２の面積率で複数配列した第２の画線群から成る第２の画像要素と、前記第１の角度とは異なる第２の角度を有した画線を前記第２の面積率で複数配列した第３の画線群から成る第３の画像要素と、前記第２の角度を有した画線を前記第１の面積率で複数配列した第４の画線群から成る第４の画像要素とを備え、
前記少なくとも二つの画像は、少なくとも第１の画像及び第２の画像から成り、前記第１の画像は、画像部と背景部から成り、前記第２の画像は、画像部と背景部から成り、
前記第１の画像の画像部は、前記第２の画像要素と前記第３の画像要素から成り、前記第１の画像の背景部は、前記第１の画像要素と前記第４の画像要素から成り、前記第２の画像の画像部は、前記第３の画像要素と前記第４の画像要素から成り、前記第２の画像の背景部は、前記第１の画像要素と前記第２の画像要素から成り、
前記第１の画像要素は、前記第１の画像及び前記第２の画像の共有の背景部と成り、前記第３の画像要素は、前記第１の画像及び前記第２の画像の共有の画像部と成り、
前記第１の画像における画像部と前記第２の画像における画像部は、少なくとも一つの対を成す同一の図柄を備え、
前記第１の画像中と前記第２の画像内に備えられた前記一つの対を成す図柄同士は、各々の画像部の中心を左右方向に所定距離ずらして形成され、
観察者の一方の目を正反射光が支配的な観察角度領域に置き、他方の目を拡散反射光が支配的な観察角度領域に置いて観察した場合、前記第１の画像と前記第２の画像が絶縁表示され、両眼視差により立体画像を視認することができることを特徴とする立体視可能な印刷物。
【請求項２】
前記第１の画像中の図柄と対を成す前記第２の画像中の図柄の中心と、該第２の画像中の図柄と対を成す前記第１の画像中の図柄の中心とをずらして形成する前記所定距離は、１ｍｍ以上６５ｍｍ以下であることを特徴とする請求項１記載の立体視可能な印刷物。
【請求項３】
基材上の少なくとも一部に印刷領域を有し、前記印刷領域に、二つの画像を備えて成る立体視可能な印刷物において、
前記画像は、複数の画像要素が隣接されて成り、
前記複数の画像要素は、それぞれ異なる画線群から構成されており、前記画線群は、光輝性材料を含むインキによって、盛り上がりのある形状で、特定の面積率の画線を特定の角度に複数配列して成り、
前記複数の画像要素は、第１の角度を有した画線を第１の面積率で複数配列した第１の画線群から成る第１の画像要素と、第１の角度を有した画線を第１の面積率と異なる第２の面積率で複数配列した第２の画線群から成る第２の画像要素と、前記第１の角度とは異なる第２の角度を有した画線を前記第２の面積率で複数配列した第３の画線群から成る第３の画像要素と、前記第２の角度を有した画線を前記第１の面積率で複数配列した第４の画線群から成る第４の画像要素とを備え、
前記少なくとも二つの画像は、少なくとも第１の画像及び第２の画像から成り、前記第１の画像は、画像部と背景部から成り、前記第２の画像は、画像部と背景部から成り、
前記第１の画像の画像部は、前記第２の画像要素と前記第３の画像要素から成り、前記第１の画像の背景部は、前記第１の画像要素と前記第４の画像要素から成り、前記第２の画像の画像部は、前記第３の画像要素と前記第４の画像要素から成り、前記第２の画像の背景部は、前記第１の画像要素と前記第２の画像要素から成り、
前記第１の画像要素は、前記第１の画像及び前記第２の画像の共有の背景部と成り、前記第３の画像要素は、前記第１の画像及び前記第２の画像の共有の画像部と成り、
前記第１の画像における画像部と前記第２の画像における画像部は、少なくとも一つの対を成す略同一の図柄を備え
前記第１の画像中と前記第２の画像内に備えられた前記一つの対を成す図柄同士は、各々の図柄の中心を合わせて形成されるか又は各々の図柄の中心を左右方向に所定距離ずらして形成され、
観察者の一方の目を正反射光が支配的な観察角度領域に置き、他方の目を拡散反射光が支配的な観察角度領域に置いて観察した場合、前記第１の画像と前記第２の画像が絶縁表示され、両眼視差により立体画像を視認することができることを特徴とする立体視可能な印刷物。
【請求項４】
前記第１の画像中の図柄と対を成す前記第２の画像中の図柄の中心と、該第２の画像中の図柄と対を成す前記第１の画像中の図柄の中心とを合わせて形成するか、又はずらして形成する場合の前記所定距離は、１ｍｍ以上６５ｍｍ以下であることを特徴とする請求項３の立体視可能な印刷物。
【請求項５】
前記複数の画像要素において、前記第１の画像及び前記第２の画像の階調の数をｎとした場合、前記画像要素の数は、ｎ２種類で形成されることを特徴とする請求項１乃至４のいずれか一項に記載の立体視可能な印刷物。
【請求項６】
前記特定の面積率は、１００％を除く３０％以上であることを特徴とする請求項１乃至５のいずれか一項に記載の立体視可能な印刷物。
【請求項７】
前記第１の面積率と前記第２の面積率の差異は、前記画線群を構成する前記画線における画線幅の太細、画線の粗密のいずれか、又はその両方によって形成されることを特徴とする請求項１乃至６のいずれか一項に記載の立体視可能な印刷物。
【請求項８】
前記第１の画像の画像部における面積率と前記第１の画像の背景部における面積率の差は、５％以上３０％以下であることを特徴とする請求項１乃至７のいずれか一項に記載の立体視可能な印刷物。
【請求項９】
前記第１の角度と前記第２の角度の差は、１５度以上９０度以下であることを特徴とする請求項１乃至８のいずれか一項に記載の立体視可能な印刷物。
【請求項１０】
前記画線群を構成する前記画線におけるピッチは、１０μｍ以上１ｍｍ以下であることを特徴とする請求項１乃至９のいずれか一項に記載の立体視可能な印刷物。
【請求項１１】
前記光輝性材料を含むインキによる画線の盛り上がりの高さは、２μｍ以上１０μｍ以下であることを特徴とする請求項１乃至１０のいずれか一項に記載の立体視可能な印刷物。
【発明の詳細な説明】
【技術分野】
【０００１】
本発明は、両眼視差を用いた立体視が可能な印刷物に関するもので、極めて単純で安価に形成可能であって、特別な道具や複雑な装置を用いることなく裸眼立体視が可能な印刷物に関する。
【背景技術】
【０００２】
文字や図形等の図象が、立体的に浮き上がって見える立体画像は、通常の平面的な画像に比べて、よりリアルな表現が可能であり、アナグリフや偏光方式の立体映像は、映画館や博覧会、アミューズメントパーク等で利用されるに至っている。また、用紙やカードに立体画像を形成した印刷物の例としては、レンチキュラーやホログラム等を貼付したものが公知である。これらは、外観意匠性の高い印刷物であるだけでなく、複製が困難であることから、偽造防止効果にも優れる。
【０００３】
両眼視差を用いた立体視とは、人間の両目が右目と左目で左右に約６０ｍｍから７０ｍｍ離れていることで、実際の三次元空間において立体物や観察者までの距離の異なる対象を観察した場合に生じている、左右の目における観察画像の違いを利用して、観察者の脳内でだけ成立する擬似的な立体画像を生成するものであり、平面上に形成されている画像であっても、右目と左目でわずかに異なった画像を絶縁して見せることで観察者の脳内で奥行き感を生じさせる。そして、観察者が認識する画像は、本来、平面の画像の中に存在しない立体画像となる。仮に、右目で見る画像を画像１、左目で見る画像を画像２とすると、印刷物の中には、画像１と画像２しか存在していないにも関わらず、立体視を行う観察者には、三番目の画像ともいうべき立体画像が認識される。
【０００４】
公知の代表的な立体視可能な印刷物は、古典的な技術としてステレオグラムやアナグリフに始まり、偏光方式を用いて形成されるもの、パララックスバリアやレンチキュラーレンズを重ね合わせるもの、比較的新しい技術としては、ホログラムを用いて形成されるもの等が存在する。上記の技術のうち、裸眼立体視可能な印刷物は、特別な眼鏡を必要とするアナグリフ方式と偏光方式を除いたものであり、すなわち、ステレオグラム、パララックスバリア形成体、レンチキュラー形成体又はホログラム等である。
【０００５】
ただし、公知の裸眼立体視可能な印刷物は、いずれもそれぞれに問題点を抱えている。ステレオグラムは、安価に形成可能であるものの、二つの画像を別々に並べて形成するため、画像としての見栄えが悪く、結像を認識するのに多少の訓練を必要とする。パララックスバリアやレンチキュラー系の技術は、裸眼立体視を容易に実現することができるものの、バリア効果やレンズ効果を機能させるには、特定の透明基材が必要となるだけでなく、印刷物自体に一定の厚みが必要であり、製造工程が複雑になるという問題がある。ホログラムについては、自然な裸眼立体視を実現することができるものの、工程や加工方法が極めて複雑であって、高価であるという問題がある。いずれにしても、現状では、安価で容易に大量生産可能であり、かつ、印刷物として流通可能な裸眼立体視可能な印刷物は存在せず、その提案が待望されていた。
【０００６】
そこで、このような現状をかんがみて、本願出願人は、従来、偽造防止技術として用いられてきた特殊な画線構成と材料の組み合わせで形成される偽造防止用印刷技術を、立体視に特化させて改良して形成した、オフセット印刷方式によって容易で安価に形成可能であって、観察者は、訓練の必要なく裸眼立体視可能な立体画像形成体を提案している（特許文献１および特許文献２参照）。  
【０００７】
これらは、立体画像形成体に光が入射した場合に、拡散反射光が支配的な観察角度と正反射光が支配的な観察角度が生じ、それぞれの観察角度では、観察することができる色彩が大きく変化する現象を利用したもので、特定の角度で観察した場合に左右の目においてそれぞれ別の画像が絶縁表示され、両眼視差を利用した立体視が可能となる。
【０００８】
この立体画像形成体は、商業印刷の分野で一般的に用いられている印刷材料と印刷機を用いることで、通常の印刷物とほとんど変わらない難易度で、かつ、安価に大量生産することが可能であり、基材となる用紙を除く厚さは、１〜２μｍ以内に収まり、一般に流通している印刷物と何ら厚さも違わないにもかかわらず、適切な観察角度で観察することによって、容易に裸眼立体視を成立させることが可能であり、これまでの裸眼立体視可能な印刷物が抱えていた問題点の多くを解決した印刷物であった。
【先行技術文献】
【特許文献】
【０００９】
【特許文献１】特開２００９−３９９２１
【特許文献２】特願２００８−３２９４３
【発明の概要】
【発明が解決しようとする課題】
【００１０】
しかしながら、従来技術の立体画像形成体は、それまでの課題の多くを解決した裸眼立体視可能な印刷物であったが、立体視を成立させるために正反射光が支配的な観察角度において観察者に視認させる画像の形成には、透明な色材を用いる必要があり、この透明な色材は、不透明な色材や着色された色材に比べて脱刷管理や正確な濃度管理等が難しく、品質管理上の問題が生じていた。
【００１１】
また、従来技術の立体画像形成体は、立体視を成立させるために形成する右目用画像と左目用画像は、別々の印刷層に異なる反射特性を有する別々の色材によって形成する必要があり、少なくとも二種類、多い場合には、三種類以上の色材を使用しなければならないという問題があった。汎用的な商業用印刷ユニットは、四つの印刷胴で構成される場合が多く、そのような印刷機械を用いて前述の立体画像を形成する場合、立体画像形成のために必要となる印刷胴を除くと、使用可能な印刷胴は、一つか二つしか残らない。一つの商品としてのパッケージを考えると、立体画像のみで印刷物を形成して完成する例はほとんどなく、多くの場合、その他の背景画像や地紋にあたるデコレーション部や説明文等を必要とする。以上のように、立体画像の形成に複数の色材を必要とすることは、商品デザイン上の制約が生じる場合があり、ワンパスで商品を仕上げることが不可能となる懸念があった。
【００１２】
本発明は、前述の立体画像形成体が抱えていた課題を解決するものであり、透明な色材を使用することなく、かつ、一つの色材だけで、前述の立体画像形成体とほぼ同様な原理で裸眼立体視を実現することができる印刷物を提供することを目的とする。
【課題を解決するための手段】
【００１３】
本発明における立体視可能な印刷物は、基材上の少なくとも一部に印刷領域を有し、印刷領域に、二つの画像を備えて成る立体視可能な印刷物において、画像は、複数の画像要素が隣接されて成り、複数の画像要素は、それぞれ異なる画線群から構成されており、画線群は、基材と異なる色の光輝性材料を含むインキによって、盛り上がりのある形状で、特定の面積率の画線を特定の角度に複数配列して成り、複数の画像要素は、第１の角度を有した画線を第１の面積率で複数配列した第１の画線群から成る第１の画像要素と、第１の角度を有した画線を第１の面積率と異なる第２の面積率で複数配列した第２の画線群から成る第２の画像要素と、第１の角度とは異なる第２の角度を有した画線を第２の面積率で複数配列した第３の画線群から成る第３の画像要素と、第２の角度を有した画線を第１の面積率で複数配列した第４の画線群から成る第４の画像要素とを備え、少なくとも二つの画像は、少なくとも第１の画像及び第２の画像から成り、第１の画像は、画像部と背景部から成り、第２の画像は、画像部と背景部から成り、第１の画像の画像部は、第２の画像要素と第３の画像要素から成り、第１の画像の背景部は、第１の画像要素と第４の画像要素から成り、第２の画像の画像部は、第３の画像要素と第４の画像要素から成り、第２の画像の背景部は、第１の画像要素と第２の画像要素から成り、第１の画像要素は、第１の画像及び第２の画像の共有の背景部と成り、第３の画像要素は、第１の画像及び第２の画像の共有の画像部と成り、第１の画像におけると第２の画像における画像部は、少なくとも一つの対を成す同一の図柄を備え、第１の画像中と第２の画像内に備えられた一つの対を成す図柄同士は、各々の画像部の中心を左右方向に所定距離ずらして形成され、観察者の一方の目を正反射光が支配的な観察角度領域に置き、他方の目を拡散反射光が支配的な観察角度領域に置いて観察した場合、第１の画像と第２の画像が絶縁表示され、両眼視差により立体画像を視認することができることを特徴とする。
【００１４】
本発明における立体視可能な印刷物は、第１の画像中の図柄と対を成す第２の画像中の図柄の中心と、該第２の画像中の図柄と対を成す第１の画像中の図柄の中心とをずらして形成する所定距離は、１ｍｍ以上６５ｍｍ以下であることを特徴とする。
【００１５】
本発明における立体視可能な印刷物は、基材上の少なくとも一部に印刷領域を有し、印刷領域に二つの画像を備えて成る立体視可能な印刷物において、前述の画像は、複数の画像要素が隣接されて成り、複数の画像要素は、それぞれ異なる画線群から構成されており、画線群は、基材と異なる色の光輝性材料を含むインキによって、盛り上がりのある形状で、特定の面積率の画線を特定の角度に複数配列して成り、複数の画像要素は、第１の角度を有した画線を第１の面積率で複数配列した第１の画線群から成る第１の画像要素と、第１の角度を有した画線を第１の面積率と異なる第２の面積率で複数配列した第２の画線群から成る第２の画像要素と、第１の角度とは異なる第２の角度を有した画線を第２の面積率で複数配列した第３の画線群から成る第３の画像要素と、第２の角度を有した画線を第１の面積率で複数配列した第４の画線群から成る第４の画像要素とを備え、少なくとも二つの画像は、少なくとも第１の画像及び第２の画像から成り、第１の画像は、画像部と背景部から成り、第２の画像は、画像部と背景部から成り、第１の画像の画像部は、第２の画像要素と第３の画像要素から成り、第１の画像の背景部は、第１の画像要素と第４の画像要素から成り、第２の画像の画像部は、第３の画像要素と第４の画像要素から成り、第２の画像の背景部は、第１の画像要素と第２の画像要素から成り、第１の画像要素は、第１の画像及び第２の画像の共有の背景部と成り、第３の画像要素は、第１の画像及び第２の画像の共有の画像部と成り、第１の画像における画像部と第２の画像における画像部は、少なくとも一つの対を成す略同一の図柄を備え、第１の画像中と第２の画像内に備えられた一つの対を成す図柄同士は、各々の画像部の中心を合わせて形成されるか又は各々の画像部の中心を左右方向に所定距離ずらして形成され、観察者の一方の目を正反射光が支配的な観察角度領域に置き、他方の目を拡散反射光が支配的な観察角度領域に置いて観察した場合、第１の画像と第２の画像が絶縁表示され、両眼視差により立体画像を視認することができることを特徴とする。
【００１６】
本発明における立体視可能な印刷物は、第１の画像中の図柄と対を成す第２の画像中の図柄の中心と、第２の画像中の図柄と対を成す第１の画像中の図柄の中心とを合わせて形成するか、又はずらして形成する場合の所定距離は、１ｍｍ以上６５ｍｍ以下であることを特徴とする。
【００１７】
本発明における立体視可能な印刷物は、複数の画像要素において、第１の画像及び第２の画像の階調の数をｎとした場合、画像要素の数は、ｎ２で形成されることを特徴とする。
【００１８】
本発明の立体視可能な印刷物における特定の面積率は、１００％を除く３０％以上であることを特徴とする。
【００１９】
本発明の立体視可能な印刷物における特定の面積率は、画線群を構成する画線における画線幅の太細若しくは画線の粗密のいずれか又はその両方によって形成されることを特徴とする。
【００２０】
本発明における立体視可能な印刷物は、第１の画像の画像部における面積率と第１の画像部の背景部における面積率の差が、５％以上３０％以下であることを特徴とする。
【００２１】
本発明の立体視可能な印刷物における第１の角度と第２の角度の差は、１５度以上９０度以下であることを特徴とする。
【００２２】
本発明の立体視可能な印刷物における画線群を構成する画線におけるピッチは、１０μｍ以上１ｍｍ以下であることを特徴とする。
【００２３】
本発明の立体視可能な印刷物における光輝性材料を含むインキによる画線の盛り上がりの高さは、２μｍ以上１０μｍ以下であることを特徴とする。
【発明の効果】
【００２４】
本発明の立体視可能な印刷物は、従来の立体画像形成体のように透明な色材を使用することなく、基材の制約を受けないで裸眼立体視可能な印刷物を形成することができる。
【００２５】
本発明の立体視可能な印刷物は、従来の立体画像形成体のように少なくとも二種類以上の色材を使用することなく、単一の色材を使用するだけで裸眼立体視可能な印刷物を形成することができる。
【図面の簡単な説明】
【００２６】
【図１】本発明の実施の形態に係る本発明の立体視可能な印刷物の図である。
【図２】本発明の実施に形態に係る印刷領域を構成する四種類の画像要素の図である。
【図３】本発明の実施の形態に係る第１の画像の図である。
【図４】本発明の実施の形態に係る第２の画像の図である。
【図５】本発明の実施の形態に係る第１の画像と第２の画像に含まれる星画像の位置関係を示す図である。
【図６】本発明の実施の形態に係る立体視可能な印刷物に光が入射した場合に生じる各観察角度領域を示す図である。
【図７】（ａ）は、本発明の実施の形態に係る観察角度領域Ｅの図である。（ｂ）は、観察角度領域Ｅにおいて視認される第１の画像の図である。
【図８】（ａ）は、本発明の実施の形態に係る観察角度領域Ｆの図である。（ｂ）は、観察角度領域Ｆにおいて視認される第２の画像の図である。
【図９】本発明の実施の形態に係る画線幅の異なる画線に対して光を入射して、受光角度を変化させながらＬ*、ａ*、ｂ*を取得している図である。
【図１０】本発明の実施の形態に係る画線幅の異なる画線に対して光を入射して、受光角度を変化させながら取得したＬ*、ａ*、ｂ*を示すグラフである。
【図１１】本発明の実施の形態に係る画線幅の異なる画線の、受光角度別のお互いの色差ΔＥを示すグラフである。
【図１２】本発明の実施の形態に係る画線角度の異なる画線に対して光を入射して、受光角度を変化させながらＬ*、ａ*、ｂ*を取得している図である。
【図１３】本発明の実施の形態に係る画線角度の異なる画線に対して光を入射して、受光角度を変化させながら取得したＬ*、ａ*、ｂ*を示すグラフである。
【図１４】本発明の実施の形態に係る画線角度の異なる画線の、受光角度別のお互いの色差ΔＥを示すグラフである。
【図１５】本発明の実施の形態に係る本発明の立体視可能な印刷物の印刷領域が有している四種類の画像要素の図である。
【図１６】本発明の実施の形態に係る画線幅及び画線角度の異なる４つの画線の、１つの画線を基準にした場合の受光角度別の色差ΔＥを示すグラフである。
【図１７】本発明の実施の形態に係る立体視が成立する二つの観察角度の図である。
【図１８】本発明の実施の形態に係る星画像が遠くあるように認識される原理の図である。
【図１９】本発明の実施の形態に係る星画像が近くにあるように認識される原理の図である。
【図２０】本発明の実施の形態に係る印刷画像を立体視した場合の各星画像の遠近感を示す図である。
【図２１】本発明の実施例１に係る本発明の立体視可能な印刷物の図である。
【図２２】本発明の実施例１に係る印刷領域を構成する四種類の画像要素の図である。
【図２３】（ａ）は、本発明の実施例１に係る第１の画像の図であり、（ｂ）は、本発明の実施例１に係る第２の画像の図である。
【図２４】本発明の実施例１に係る第１の画像と第２の画像に含まれる星画像の位置関係の図である。
【図２５】本発明の実施例１に係る印刷物を観察した場合の各星画像の遠近感を示す図である。
【図２６】本発明の実施例２に係る本発明の立体視可能な印刷物の図である。
【図２７】本発明の実施例２に係る印刷領域を構成する四種類の画像要素の図である。
【図２８】（ａ）は、本発明の実施例２に係る第１の画像の図であり、（ｂ）は、本発明の実施例２に係る第２の画像の図である。
【図２９】本発明の実施例２に係る第１の画像と第２の画像の立方体の位置関係を示す図である。
【図３０】（ａ）は、本発明の実施例２に係る印刷物を１５ａ視点で観察した場合の二つのＸＹ平面の遠近感の図である。（ｂ）は、本発明の実施例２に係る印刷物を１５ｂ視点で観察した場合の二つのＸＹ平面の遠近感を示す図である。
【図３１】（ａ）は、本発明の実施例２に係る印刷物を１５ａ視点で観察した場合の立方体の図である。（ｂ）は、本発明の実施例２に係る印刷物を１５ｂ視点で観察した場合の立方体の図である。
【図３２】本発明の実施例３に係る本発明の立体視可能な印刷物の図である。
【図３３】本発明の実施例３に係る印刷領域を構成する九種類の画像要素の図である。
【図３４】（ａ）は、本発明の実施例３に係る第１の画像の図であり、（ｂ）は、本発明の実施例３に係る第２の画像の図である。
【図３５】本発明の実施例３に係る第１の画像と第２の画像の基画像の撮影状況を示す図である。
【図３６】本発明の実施例３に係る第１の画像と第２の画像の鳳凰の像の位置関係を示す図である。
【図３７】本発明の実施例３に係る印刷物を１５ｂ視点で観察した場合に認識される立体画像の図である。
【発明を実施するための形態】
【００２７】
本発明を実施するための最良の形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２８】
次に、本発明の実施形態について図面を用いて説明する。図１は、本発明の実施の形態に係る本発明の立体視可能な印刷物の図である。図２は、本発明の実施に形態に係る印刷領域を構成する四種類の画像要素の図である。図３は、本発明の実施の形態に係る第１の画像の図である。図４は、本発明の実施の形態に係る第２の画像の図である。図５は、本発明の実施の形態に係る第１の画像と第２の画像に含まれる星画像の位置関係を示す図である。図６は、本発明の実施の形態に係る立体視可能な印刷物に光が入射した場合に生じる各観察角度領域を示す図である。図７（ａ）は、本発明の実施の形態に係る観察角度領域Ｅの図であり、（ｂ）は、観察角度領域Ｅにおいて視認される第１の画像の図である。図８（ａ）は、本発明の実施の形態に係る観察角度領域Ｆの図であり、（ｂ）は、観察角度領域Ｆにおいて視認される第２の画像の図である。図９は、本発明の実施の形態に係る画線幅の異なる画線に対して光を入射して、受光角度を変化させながらＬ*、ａ*、ｂ*を取得している図である。図１０は、本発明の実施の形態に係る画線幅の異なる画線に対して光を入射して、受光角度を変化させながら取得したＬ*、ａ*、ｂ*を示すグラフである。図１１は、本発明の実施の形態に係る画線幅の異なる画線の、受光角度別のお互いの色差ΔＥを示すグラフである。図１２は、本発明の実施の形態に係る画線角度の異なる画線に対して光を入射して、受光角度を変化させながらＬ*、ａ*、ｂ*を取得している図である。図１３は、本発明の実施の形態に係る画線角度の異なる画線に対して光を入射して、受光角度を変化させながら取得したＬ*、ａ*、ｂ*を示すグラフである。図１４は、本発明の実施の形態に係る画線角度の異なる画線の、受光角度別のお互いの色差ΔＥを示すグラフである。図１５は、本発明の実施の形態に係る本発明の立体視可能な印刷物の印刷領域が有している四種類の画像要素の図である。図１６は、本発明の実施の形態に係る画線幅及び画線角度の異なる４つの画線の、１つの画線を基準にした場合の受光角度別の色差ΔＥを示すグラフである。図１７は、本発明の実施の形態に係る立体視が成立する二つの観察角度の図である。図１８は、本発明の実施の形態に係る星画像が遠くあるように認識される原理の図である。図１９は、本発明の実施の形態に係る星画像が近くにあるように認識される原理の図である。図２０は、本発明の実施の形態に係る印刷画像を立体視した場合の各星画像の遠近感を示す図である。図２１は、本発明の実施例１に係る本発明の立体視可能な印刷物の図である。図２２は、本発明の実施例１に係る印刷領域を構成する四種類の画像要素の図である。図２３（ａ）は、本発明の実施例１に係る第１の画像の図であり、（ｂ）は、本発明の実施例１に係る第２の画像の図である。図２４は、本発明の実施例１に係る第１の画像と第２の画像に含まれる星画像の位置関係の図である。図２５は、本発明の実施例１に係る印刷物を観察した場合の各星画像の遠近感を示す図である。図２６は、本発明の実施例２に係る本発明の立体視可能な印刷物の図である。図２７は、本発明の実施例２に係る印刷領域を構成する四種類の画像要素の図である。図２８（ａ）は、本発明の実施例２に係る第１の画像の図であり、（ｂ）は、本発明の実施例２に係る第２の画像の図である。図２９は、本発明の実施例２に係る第１の画像と第２の画像の立方体の位置関係を示す図である。図３０（ａ）は、本発明の実施例２に係る印刷物を１５ａ視点で観察した場合の二つのＸＹ平面の遠近感を示す図であり、（ｂ）は、本発明の実施例２に係る印刷物を１５ｂ視点で観察した場合の二つのＸＹ平面の遠近感を示す図である。図３１（ａ）は、本発明の実施例２に係る印刷物を１５ａ視点で観察した場合の立方体の図であり、（ｂ）は、本発明の実施例２に係る印刷物を１５ｂ視点で観察した場合の立方体の図である。図３２は、本発明の実施例３に係る本発明の立体視可能な印刷物の図である。図３３は、本発明の実施例３に係る印刷領域を構成する九種類の画像要素の図である。図３４（ａ）は、本発明の実施例３に係る第１の画像の図であり、（ｂ）は、本発明の実施例３に係る第２の画像の図である。図３５は、本発明の実施例３に係る第１の画像と第２の画像の基画像の撮影状況を示す図である。図３６は、本発明の実施例３に係る第１の画像と第２の画像の鳳凰の像の位置関係を示す図である。図３７は、本発明の実施例３に係る印刷物を１５ｂ視点で観察した場合に認識される立体画像の図である。
【００２９】
図１に示す立体視可能な印刷物（１）は、基材（２）上の少なくとも一部に印刷領域（３）を有しており、印刷領域（３）は、複数の画像要素を隣接することで形成されている。画像要素同士は、それぞれ異なる画線群から構成されており、各画線群は、光輝性材料を含むインキによって、盛り上がりのある形状で、特定の面積率の画線を特定の角度に複数配列して成る。
【００３０】
ここで言う「画線」とは、点線や破線の分断線、直線、曲線及び波線のことであり、如何なる画線形状で構成しても本発明の技術思想に含まれる。「特定の面積率」とは、印刷領域の一定面積中に占める画線群の割合のことであり、面積率の差異は、画線の太細による画線幅の差異のみで形成しても良く、画線の粗密、いわゆる画線密度の差異をもって形成しても良く、この両方を用いて形成しても良い。
【００３１】
印刷領域（３）に形成される複数の画像要素において、第１の画像及び第２の画像の階調の数をｎとした場合、画像要素の数は、ｎ２種類で形成される。つまり、白黒の二階調で画像を形成する場合、画像要素の数は、２の２乗である四種類となり、三階調で画像を形成する場合、画像要素の数は、３の２乗である九種類となる。これは、四階調以上でも同じことがいえる。
【００３２】
また、画像を二階調で形成する場合、画像要素の数が四種類となる説明は、前述したところであるが、面積率の種類及び画線角度の種類は、階調の数と同じ数で構成され、四種類の画像要素の場合、階調の数と同じ二種類の面積率と二種類の画線角度の組み合わせによって、異なる四種類の構成要素が形成される。つまり、二種類の面積率として、面積率Ａと面積率Ｂがあり、二種類の画線角度として、画線角度Ａと画線角度Ｂがあり、四種類の構成要素としては、一つが面積率Ａと画線角度Ａの組み合わせ、一つが面積率Ａと画線角度Ｂの組み合わせ、一つが面積率Ｂと画線角度Ａの組み合わせ、一つが面積率Ｂと画線角度Ｂの組み合わせとなる。さらに、画像を三階調で形成する場合、三種類の面積率と三種類の画線角度の組み合わせによって、異なる九種類の構成要素が形成される。これは、四階調以上でも同じことがいえる。
【００３３】
本発明を実施するための形態においては、画像は二階調、画像要素は四種類、各画像要素が異なる画線群から成り、各画線群が複数の画線を平行に配列して構成される場合を例に挙げて説明する。
【００３４】
図２に示すように、印刷領域（３）は、第１の画像要素（４）、第２の画像要素（５）、第３の画像要素（６）及び第４の画像要素（７）の四種類の画像要素によって形成されて成る。四種類の画像要素を構成している各々四種類の画線群は、面積率又は画線角度が異なる画線の集合によって構成されている。すなわち、第１の画像要素（４）は、第１の角度（水平方向（０度））を有した画線を第１の面積率で複数平行に配列して成る画線群で構成され、第２の画像要素（５）は、第１の角度（水平方向（０度））を有した画線を第１の面積率よりも大きい第２の面積率で複数平行に配列して成る画線群で構成され、第３の画像要素（６）は、第１の角度（水平方向（０度））とは異なる第２の角度（垂直方向（９０度））を有した画線を第２の面積率で複数平行に配列して成る画線群で構成され、第４の画像要素は、第２の角度（垂直方向（９０度））を有した画線を第１の面積率で複数の平行に配列して成る画線群で構成されている。いずれの画線群も、画線群を構成している画線の画線ピッチは、すべて同じとする。また、四種類の画像要素（４、５、６、７）も互いに隣接しているが、重なり合うことなく印刷領域（３）内に収まっている。なお、図２中の四種類の画像要素（４、５、６、７）は、いずれも四角形の枠を備えているように図示しているが、四角形の枠については、それぞれの画像要素の印刷領域（３）内での位置関係を示すために印刷領域（３）の外枠を図示したもので、各画像要素中に実際に存在するものではない。
【００３５】
ここで、四種類の画像要素（４、５、６、７）と第１の画像（８）及び第２の画像（９）の関係について図３及び図４を用いて説明する。関係を明確にするため、四種類の画像要素（４、５、６、７）のそれぞれを濃淡で塗り分けたと仮定して説明するが、実際の印刷物においては、濃淡による塗り分けは行なわない。
【００３６】
印刷領域（３）を形成する四種類の画像要素（４、５、６、７）において、例えば、面積率に応じて濃淡を塗り分けた場合、すなわち、第１の面積率で構成されている画像要素を淡く塗り、第２の面積率で構成された画像要素を濃く塗った場合、図３に示すように第１の画像要素（４）と第４の画像要素（７）は淡くなり背景部が形成され、第２の画像要素（５）と第３の画像要素（６）は濃くなり、三つの図柄（１０ａ、１１ａ、１２ａ）から成る画像部が形成され、背景部と画像部とで第１の画像（８）と成る。なお、本発明を実施するための形態においては、三つの星の図柄によって画像部が形成される例で説明をするが、画像部は、少なくとも一つの図柄によって形成しても良い。面積率の差異によって形成された第１の画像（８）が、特定の観察条件によって視認することができる原理については、後述する色差ΔＥに基づいて説明する。
【００３７】
また、印刷領域（３）を形成する四種類の画像要素（４、５、６、７）において、例えば、画線角度に応じて濃淡を塗り分けた場合、すなわち、第１の角度（水平方向（０度））で構成されている画像要素を淡く塗り、第２の角度（垂直方向（９０度））で構成された画像要素を濃く塗った場合、図４に示すように第１の画像要素（４）と第２の画像要素（５）は淡くなり背景部が形成され、第３の画像要素（６）と第４の画像要素（７）は濃くなり、三つの図柄（１０ｂ、１１ｂ、１２ｂ）から成る画像部が形成され、背景部と画像部とで第２の画像（９）と成る。なお、本発明を実施するための形態においては、三つの星の図柄によって画像部が形成される例で説明をするが、画像部は、少なくとも一つの図柄によって形成しても良い。画線角度の違いによって形成された第２の画像（９）が特定の観察条件によって視認することができる原理については、後述する色差ΔＥに基づいて説明する。
【００３８】
このように、第１の画像（８）の画像部及び背景部と、第２の画像（９）の画像部及び背景部は、四種類の画像要素（４、５、６、７）の組み合わせによって形成されるが、第１の画像要素（４）は、第１の画像（８）と第２の画像（９）の共有の背景部と成り、第３の画像要素（６）は、第１の画像（８）と第２の画像（９）の共有の画像部と成る。
【００３９】
図５は、第１の画像（８）中の三つの図柄（１０ａ、１１ａ、１２ａ）と第２の画像（９）中の三つの図柄（１０ｂ、１１ｂ、１２ｂ）の位置を示したものである。第１の画像（８）中の図柄（１０ａ）と第２の画像（９）中の図柄（１０ｂ）、第１の画像（８）中の図柄（１１ａ）と第２の画像（９）中の図柄（１１ｂ）及び第１の画像（８）中の図柄（１２ａ）と第２の画像（９）中の図柄（１２ｂ）は、それぞれ対を成している。第１の画像（８）中の図柄（１０ａ）と第２の画像（９）中の図柄（１０ｂ）の位置と大きさは同じであるが、第１の画像（８）の図柄（１１ａ、１２ａ）と第２の画像（９）中の図柄（１１ｂ、１２ｂ）の位置は、それぞれ左右方向にわずかに異なっている。ここで言う左右方向とは、立体視可能な印刷物（１）を観察する観察者の左目と右目を結んだラインと平行なライン上のことである。言い換えるならば、第１の画像（８）の図柄（１１ａ、１２ａ）と第２の画像（９）中の図柄（１１ｂ、１２ｂ）の位置を、それぞれ基材（２）の下辺に対して左右方向にわずかに異ならせた場合、観察者は、基材（２）の下辺と自分の両目を結んだラインを平行にして観察することとなる。
【００４０】
図柄の大きさについては、図柄（１１ａ）と図柄（１１ｂ）は同じであり、図柄（１２ａ）と図柄（１２ｂ）も同じであるが、図柄（１１ａ）を基準にすると図柄（１１ｂ）は、左方向に位相を変えて形成されており、図柄（１２ａ）を基準にすると図柄（１２ｂ）は、右方向に位相を変えて形成されている。
【００４１】
このように、基材（２）上の少なくとも一部に印刷領域（３）を有しており、印刷領域（３）は、大きさが同一で左右方向の位相が異なっている第１の画像（８）と第２の画像（９）を有し、第１の画像（７）と第２の画像（８）は、異なる画線群によって形成された画像要素によって構成され、画線群は、盛り上がりを有し、光輝性を有する画線の集合によって形成されている。以上が、本発明の立体視可能な印刷物の構成である。
【００４２】
次に、本発明の立体視可能な印刷物が、特定の観察角度で観察する観察者に対して立体視可能となる原理について説明する。
【００４３】
図６に示すように、立体視可能な印刷物（１）に光源（１３）を入射した場合、正反射光と拡散反射光の占める割合によって各観察角度領域が区分けされる。つまり、−４５度の角度から光源（１３）を入射した場合、４５度±５度の角度に正反射光の量に対して拡散反射光の量が絶対的に多い、正反射光が支配的な観察角度領域が生じる。この観察角度領域を観察角度領域Ｇとする。また、観察角度領域Ｇの隣り合った領域０度から４０度及び５０度から８０度は、正反射光と拡散反射光がほぼ同じ程度の強さで混ざり合った観察角度領域となる。この観察角度領域を観察角度領域Ｆとする。また、それ以外の観察角度領域は、正反射光の量に対して拡散反射光の量が絶対的に多い拡散反射光が支配的な観察角度領域が生じる。この観察角度領域を観察角度領域Ｅとする。
【００４４】
また、それぞれの観察角度領域の広さ(角度範囲)については、制御することが可能である。一例として、観察角度領域Ｇや観察角度領域Ｆを拡大したい場合には、印刷基材に平滑度の低い用紙を用いたり、画線の盛り上がりを大きくしたりすることによって可能となる。なお、本発明の立体視可能な印刷物（１）においては、観察角度領域Ｇや観察角度領域Ｆが狭いことが好ましい。これは、後記する原理にしたがって立体視を行う場合、観察角度領域Ｇや観察角度領域Ｆが広い場合には、立体視を安定して行うことが相対的に難しくなるためである。この理由については後記する。
【００４５】
図７（ａ）に示すように、本発明の立体視可能な印刷物（１）を観察者が観察角度領域Ｅに視点をおいて観察した場合、印刷領域（３）中に見える画像を図７（ｂ）に示す。観察角度領域Ｅは、正反射光の存在割合が極めて低い角度領域であることから、盛り上がりを有する画線角度の異なりが可視化される要素がなく、画線の面積率の差異によって形成された色彩の差が強く認識される。よって、観察角度領域Ｅにおいて観察者が印刷領域（３）中に視認する画像は、面積率の違いを強調した画像である第１の画像（８）のみとなり、画線角度の違いによって形成されている第２の画像（９）は視認されない。
【００４６】
また、図８（ａ）に示すように、本発明の立体視可能な印刷物（１）を観察者が観察角度領域Ｆに視点をおいて観察した場合、印刷領域（３）中に見える画像を図８（ｂ）に示す。観察角度領域Ｆは、正反射光が比較的多く存在する角度領域であることから、盛り上がりを有する画線角度の異なりが入射する光の角度に応じて可視化されるとともに、画線の面積率の差異によって形成された色彩の差は、正反射光が入射することによって光輝性材料が光を反射し、画線全体の明度が相対的に上昇することで目視上、小さく認識される。よって、観察角度領域Ｆにおいて観察者が印刷領域（３）中に視認する画像は、画線角度の違いを強調した画像である第２の画像（９）のみとなり、面積率の違いによって形成されている第１の画像（８）は視認されない。
【００４７】
観察角度領域Ｅにおいては、観察者が印刷領域（３）中に視認する画像が第１の画像（８）のみとなり、観察角度領域Ｆにおいては、観察者が印刷領域（３）中に視認する画像が第２の画像（９）のみとなる効果について以下に説明する。なお、ここでは、面積率の差異を画線の太細による画線幅の差異によって形成する場合で説明する。ただし、画線幅及び画線ピッチについては、各観察角度領域における視認可能な画像の説明を行なうための一例である。
【００４８】
まず、ピッチが同じで画線幅の異なる二つの画線群の色彩が各観察角度領域でどのように変化するかを説明する。図９（ａ）に示すピッチ０．４ｍｍで画線幅が０．１５ｍｍの画線角度９０度（垂直方向）の画線を平行に配列した画線群（３１ａ）と、図９（ｂ）に示すピッチ０．４ｍｍで画線幅が０．２０ｍｍの画線角度９０度（垂直方向）の画線を平行に配列した画線群（３１ｂ）に対して、画線と直交する方向から−４５°の角度で光源（１３）から光を入射し、受光角度−２０°から８０°までのＬ*、ａ*、ｂ*を測定した。Ｌ*、ａ*、ｂ*の値は、変角分光測色システムＧＣＭＳ−４型〔村上色彩技術研究所製〕を使用して測定した。画線群（３１ａ）におけるＬ*、ａ*、ｂ*の値を、それぞれＬ１*、ａ１*、ｂ１*とし、画線群（３１ｂ）におけるＬ*、ａ*、ｂ*の値を、それぞれＬ２*、ａ２*、ｂ２*とする。また、いずれの画線群（３１ａ、３１ｂ）も画線の盛り上がりの高さは１０μｍである。
【００４９】
測定の結果は、図１０のグラフに示すとおりであり、画線幅の異なる二つの画線群（３１ａ）及び画線群（３１ｂ）のＬ１*、ａ１*、ｂ１*及びＬ２*、ａ２*、ｂ２*は、いずれの受光角度においても波形としては相似であり、その差もほぼ一定な関係となっていることがわかる。また、画線群（３１ａ）のＬ１*、ａ１*、ｂ１*を基準として、画線群（３１ｂ）のＬ２*、ａ２*、ｂ２*の色差ΔＥを算出した結果を図１１のグラフに示す。このグラフから、画線幅の異なる画線群（３１ａ、３１ｂ）の色差ΔＥは、観察角度領域Ｅから観察角度領域Ｆまでの間はほぼ一定の値を保ち、観察角度領域Ｇにおいて、わずかに上昇する程度の変化であることがわかる。よって、画線幅の異なる画線群の組み合わせを用いて形成する第１の画像（８）は、画像を形成する二つの画像要素がいずれの観察角度領域においても、ほぼ変わらずに異なる色として認識されるために、一定の視認性を保っていることがわかる。
【００５０】
続いて、ピッチが同じで画線角度の異なる二つの画線群の色彩が各観察角度領域で、どのように変化するかを説明する。図１２（ａ）に示すピッチ０．４ｍｍで画線幅が０．１５ｍｍの画線角度９０度（垂直方向）の画線を平行に配列した画線群（３２ａ）と、図１２（ｂ）に示すピッチ０．４ｍｍで画線幅が０．１５ｍｍの画線角度０度（水平方向）の画線を平行に配列した画線群（３２ｂ）に対して、画線と平行となる方向から−４５°の角度で光源１３からの光を入射し、受光角度−２０°から８０°までのＬ*、ａ*、ｂ*を測定した。Ｌ*、ａ*、ｂ*の値は、変角分光測色システムＧＣＭＳ−４型〔村上色彩技術研究所製〕を使用して測定した。画線群（３２ａ）におけるＬ*、ａ*、ｂ*の値を、それぞれＬ１*´、ａ１*´、ｂ１*´とし、画線群（３２ｂ）におけるＬ*、ａ*、ｂ*の値を、それぞれＬ２*´、ａ２*´、ｂ２*´とする。また、いずれの画線群（３２ａ、３２ｂ）も画線の盛り上がりの高さは１０μｍである。
【００５１】
測定の結果は、図１３のグラフに示すとおりであり、画線幅の異なる二つの画線群（３２ａ）及び画線群（３２ｂ）のＬ１*´、ａ１*´、ｂ１*´及びＬ２*´、ａ２*´、ｂ２*´は、特定の受光角度において波形が異なる領域を有し、その差も大きな値となっていることがわかる。また、画線群（３２ａ）のＬ１*´、ａ１*´、ｂ１*´を基準として画線群（３２ｂ）のＬ２*´、ａ２*´、ｂ２*´の色差ΔＥを算出した結果を図１４のグラフに示す。このグラフから、画線角度の異なる画線群（３２ａ、３２ｂ）の色差ΔＥは、観察角度領域Ｅや観察角度領域Ｇにおける色差に比べて、観察角度領域Ｆにおいて大きな差を生じることがわかる。よって、画線角度の異なる画線群の組み合わせを用いて形成する第２の画像（９）は、画像を形成する二つの画像要素が観察角度領域Ｆにおいて全く異なる色として変化するために、視認性が急激に向上することがわかる。
【００５２】
続いて、本発明の立体視可能な印刷物（１）を形成している、画線幅と画線角度がそれぞれ異なる四種類の画線群の色が各観察角度領域において如何に変化し、それぞれが組み合わさって形成されている印刷領域（３）の画像が如何に観察者に認識されるかを、色差ΔＥを用いて説明する。
【００５３】
図１５（ａ）から図１５（ｄ）に、本発明の立体視可能な印刷物（１）の印刷領域（３）が有している四種類の画像要素を示す。（ａ）は、第１の画像要素（４）であり、第１の画像要素（４）の画線群は、ピッチ０．４ｍｍ、画線幅０．１５ｍｍの０度（水平方向）の画線を平行に配列して構成している。（ｂ）は、第２の画像要素（５）であり、第２の画像要素（５）の画線群は、ピッチ０．４ｍｍで画線幅０．２０ｍｍの０度（水平方向）の画線を平行に配列して構成している。（ｃ）は、第３の画像要素（６）であり、第３の画像要素（６）の画線群は、ピッチ０．４ｍｍで画線幅０．２０ｍｍの９０度（垂直方向）の画線を平行に配列して構成している。（ｄ）は、第４の画像要素（７）であり、第４の画像要素（７）は、ピッチ０．４ｍｍで画線幅０．１５ｍｍの９０度（垂直方向）の画線を平行に配列して構成している。いずれの画線群も画線の盛り上がりの高さは１０μｍである。また、図１５（ｅ）に、面積率（画線太細）及び画線角度の差異に応じた画像要素と、それに応じた視認画像の一覧を示す。
【００５４】
この四種類の画像要素における各画線群のＬ*、ａ*、ｂ*値を前述した手順に沿って測定した。それぞれのＬ*、ａ*、ｂ*値から、第４の画像要素（７）を形成する画線群のＬ*、ａ*、ｂ*値を基準にして、色差ΔＥを算出して受光角度別にプロットした結果を図１６のグラフに示す。
【００５５】
第４の画像要素（７）を形成する画線群のＬ*、ａ*、ｂ*値を基準にして、第３の要素（６）を形成する画線群のＬ*、ａ*、ｂ*値との色差ΔＥをプロットしたのが折れ線（３３）であり、第１の要素（４）を形成する画線群のＬ*、ａ*、ｂ*値との色差ΔＥをプロットしたのが折れ線（３４）であり、第２の要素（５）を形成する画線群のＬ*、ａ*、ｂ*値との色差ΔＥをプロットしたのが折れ線（３５）である。
【００５６】
図１６のグラフから、観察角度領域Ｅ（受光角度０°以下）においては、折れ線（３４）のΔＥは、２以下であるのに対して、折れ線（３３）及び折れ線（３５）のΔＥは、７以上であり、かつ、同程度の値となっている。このことから、第４の画像要素（７）と第１の画像要素（４）がほぼ同じ色として認識されるが、第２の画像要素（５）と第３の画像要素（６）は、第４の画像要素（７）と第１の画像要素（４）とは異なる色として認識されることとなり、かつ、第４の画像要素（７）と第１の画像要素（４）は、同じ色として認識されることとなる。よって、観察角度領域Ｅにおいては、画線幅の太細によって形成された第1の画像（８）が可視化されることとなり、この領域において強く視認されることとなる。
【００５７】
図１６のグラフから、観察角度領域Ｆ（受光角度２０°±２０以下）においては、折れ線（３３）のΔＥは、１１以下であるのに対して、折れ線（３４）及び折れ線（３５）のΔＥは、それを大きく上回っており、ΔＥは、最大で６０を超えている。このことから、第４の画像要素（７）と第３の画像要素（６）が色として異なるとは認識され、第１の画像要素（４）と第２の画像要素（５）が、第４の画像要素（７）と第３の画像要素（６）に対して全く違う色として認識され、かつ、第１の画像要素（４）と第２の画像要素（５）は、同じ色として視認される。ただし、第４の画像要素（７）を基準とした第３の画像要素（６）の色差は、第１の画像要素（４）及び第２の画像要素（５）の色差と比較して相対的に小さいために、第４の画像要素（７）と第３の画像要素（６）が同じ色に、第１の画像要素（４）と第２の画像要素は、異なった色として認識されることとなる。よって、観察角度領域Ｅにおいては、画線角度の差異によって形成された第２の画像（９）が強く視認されることとなる。
【００５８】
なお、観察角度領域Ｇにおいては、第１の画像（８）がやや強く認識されるか、又は第１の画像（８）と第２の画像（９）が混ざり合って認識される。ただし、観察角度領域Ｇは、極めて狭い角度領域しか存在せず、また観察角度領域Ｆに挟まれていることから、観察者の主観としては、観察角度領域Ｆが連続して存在しているように感じられる。
【００５９】
以上が、本発明の立体視可能な印刷物（１）が、印刷領域（３）を面積率と画線角度の異なる画線群で形成することによって、特定の観察角度領域で観察した場合、異なる第１の画像（８）と第２の画像（９）が変化して視認される効果である。ただし、前述の説明においては、第1の画像（８）と第２の画像（９）が観察角度によって切り替わって観察される効果を明瞭に説明するために、あえて第２の画像（９）の視野角度が比較的広い（観察角度領域Ｆが広い）例で説明している。後述するが、本発明において、第２の画像（９）の視野角度は、狭いほうが好ましい。
【００６０】
以上のように、本発明の立体視可能な印刷物（１）は、印刷領域（３）を面積率と画線角度の異なる画線群で形成することによって、特定の観察角度領域で観察した場合、異なる第１の画像（８）と第２の画像（９）が視認される効果を有している。この効果を利用することで、特定の観察角度に観察者の視点がある場合に限り、立体視が成立する。ここで言う特定の観察角度とは、図１７の１５ａ及び１５ｂに示すように右目のみ、あるいは左目のみが観察角度領域Ｅ内にあり、もう一方の目のみが観察角度領域Ｆ内にある場合である。この二つの観察角度にある場合、観察者の右目と左目には、第１の画像（８）と、第２の画像（９）がそれぞれ絶縁して表示されることになり、第１の画像（８）と第２の画像（９）の間にある左右の画像の位相差によって両眼視差を利用した立体視が成立する。
【００６１】
図１７における観察者の視点（１５ｂ）を例として、左目には第１の画像（８）が、右目には第２の画像（９）がそれぞれ別々に視認された場合に、観察者に認識される立体感について説明する。図１８（ａ）に示す画像中の左上の図柄（１２ａ、１２ｂ）を、観察者の視点（１５ｂ）で観察した場合に生じる奥行き感について図１８（ｂ）に示す。右目には、第２の画像（９）の図柄（１２ｂ）が視認され、左目には、第１の画像（８）の図柄（１２ａ）が視認されるため、右目と図柄（１２ｂ）をつなぐ直線と左目と図柄（１２ａ）をつなぐ直線は、Ｂ−Ｂ´上で交わる。この場合、印刷物とその画像は、Ａ−Ａ´上に存在しているにも関わらず、観察者には、画像左上の図柄（１２ａ、１２ｂ）の図柄がＢ−Ｂ´の位置にある図柄（１２ｃ）として認識される。
【００６２】
また、図１９（ａ）に示す画像中の右の図柄（１１ａ、１１ｂ）を、観察者の視点（１５ｂ）で観察した場合に生じる奥行き感について図１９（ｂ）に示す。右目には、第２の画像（９）の図柄（１１ｂ）が視認され、左目には、第１の画像（８）の図柄（１１ａ）が視認されるため、右目と図柄（１１ｂ）をつなぐ直線と左目と図柄（１１ａ）をつなぐ直線は、Ｃ−Ｃ´上で交わる。この場合、印刷物とその画像は、Ａ−Ａ´上に存在しているにも関わらず、観察者には、画像右の図柄（１１ａ、１１ｂ）の図柄がＣ−Ｃ´の位置にある図柄（１１ｃ）として認識される。
【００６３】
図２０（ａ）に示すように、立体視可能な印刷物（１）を観察者の視点（１５ｂ）で観察した場合、本来、立体視可能な印刷物（１）に形成されている図柄（１０ａ、１０ｂ、１１ａ、１１ｂ、１２ａ、１２ｂ）は、Ａ−Ａ´上に存在しているが、図１８（ｂ）で示した図柄（１２ｃ）の視認状態及び図１９（ｂ）で示した図柄（１１ｃ）の視認状態となることから、図２０(ｂ)に示すように、左上の図柄（１２ａ、１２ｂ）は、Ａ−Ａ´を基準としたときの観察者の視点（１５ｂ）より奥側であるＢ−Ｂ´上に図柄（１２ｃ）があると認識され、右の図柄（１１ａ、１１ｂ）は、Ａ−Ａ´を基準としたときの観察者の視点（１５ｂ）より手前であるＣ−Ｃ´上に図柄（１１ｃ）があると認識される。なお、左下の図柄（１０ａ、１０ｂ）については、同じ位置に形成されていることから、本来、立体視可能な印刷物（１）に形成されている図柄が存在するＡ−Ａ´上に存在していると認識される。以上が本発明の立体視可能な印刷物（１）が立体感を生じさせる原理である。
【００６４】
また、観察者の視点（１５ａ）で観察した場合は、観察者の視点（１５ｂ）で観察した場合と比べ、左上の図柄（１２ａ、１２ｂ）と右の図柄（１１ａ、１１ｂ）の奥行き方向の位置関係が逆転する。つまり、左上の図柄（１２ａ、１２ｂ）が手前側に認識され、右の図柄（１１ａ、１１ｂ）が奥側に認識される。
【００６５】
本発明の立体視可能な印刷物（１）を構成している画線は、基材（２）と異なる色を有し、かつ、光輝性を有する必要がある。これは、観察角度領域Ｆにおいて第２の画像を可視化させるために、入射する光を強く反射する効果を有している必要があるためである。光輝性を付与するための手段としては、画線を市販されている金、銀インキ等のメタリックインキを用いて形成しても良く、透明を除く任意の色材とともに光輝性材料を混合したインキを用いて形成しても良い。光輝性材料は、アルミニウム粉末、銅粉末、亜鉛粉末、錫粉末、真鍮粉末又はリン化鉄等のメタリック系顔料に加え、鱗片状マイカ顔料、鱗片状金属顔料、ガラスフレーク顔料及びコレステリック液晶顔料等の顔料を含む。
【００６６】
また、本発明の立体視可能な印刷物（１）を構成している画線は、盛り上がりを有する必要がある。盛り上がりがない場合には、観察角度領域Ｆにおいて入射する光を反射できなくなり、第２の画像が可視化しないためである。画線の盛り上がりの高さは、２μｍ以上１０μｍ以下に形成する。画線を２μｍより低い盛り上がりで形成した場合、観察角度領域Ｆにおいて出現する第２の画像の視認性が極めて低くなるか又は第２の画像が全く出現しなくなるため、画線の盛り上がりは、２μｍ以上の高さで形成するのが良い。また、１０μｍより高い場合盛り上がりで形成した場合、立体視自体は可能なものの、立体視に適切な角度の見極めが困難となる。これは、画線の盛り上がりが１０μｍより高い場合、観察角度領域Ｇや観察角度領域Ｆの領域が広くなり、第２の画像を観察することができる角度範囲が広くなる。観察角度領域Ｇや観察角度領域Ｆの領域が広くなると、印刷物と観察者の距離が極めて近い場合を除き、観察者の右目と左目の両方が観察角度領域Ｇや観察角度領域Ｆの中に収まってしまう。この状態から、片目のみを観察角度領域Ｅに意図的に入れるためは、適切な観察角度を保ったまま印刷物と両眼を近づけていく必要がある。この方法は、一般的な印刷物の観察方法とはかけ離れていることから、不慣れな利用者には、極めて敷居が高い行為となってしまう。そのため、画線の盛り上がりは、１０μｍより低く形成するのが良い。
【００６７】
本発明においては、観察角度領域Ｇや観察角度領域Ｆの領域を意図的に狭くなるように設計している。これは、自然な観察距離で本発明の立体視可能な印刷物（１）に光を入射させた場合、観察角度領域Ｇや観察角度領域Ｆの領域には、観察者の片目だけしか入らないことを意図しているためである。この片目のみが観察角度領域Ｇや観察角度領域Ｆの領域に入る場合、もう一方の目は、自動的に観察角度領域Ｅの中に入ることになり、容易に立体視が成立する。よって、本発明を２μｍ以上１０μｍ以下の画線の高さで設計した場合には、観察者は、本発明の立体視の原理を理解していなくても、印刷物を光に対して少し傾けて観察するだけで立体画像を視認することができる。
【００６８】
２μｍ以上１０μｍ以下の高さの盛りのある画線を形成する方法としては、凸版印刷、フレキソ印刷、グラビア印刷、凹版印刷、スクリーン印刷方式等の印刷で形成する方法や、ＵＶ乾燥方式のインキジェットプリンタを用いる方法等が挙げられる。
【００６９】
また、本発明の立体視可能な印刷物（１）の基材（２）については、平滑度が高いことが望ましく、特にコート紙、アート紙に代表される塗工紙又はプラスチックカード等の基材は、最適である。平滑度が低い基材（２）の上に形成した場合には、前述の観察角度領域Ｇや観察角度領域Ｆの領域が広くなってしまうためである。
【００７０】
本発明の立体視可能な印刷物（１）の印刷領域において、面積率は、１００％を除く３０％を越える範囲であることが望ましい。これは、観察角度領域Ｆにおける第２の画像の視認性を高く保ち、かつ、第１の画像の消失効果を高めるためであり、面積率が３０％以下でもこれらの効果を得ることは可能なものの、３０％以上の画線群と比較するとその効果は劣るためである。
【００７１】
また、観察角度領域Ｅにおいて可視化する第１の画像については、面積率の差異を用いて形成する必要があるが、前述したとおり、面積率の差異を画線の太細による画線幅の差異のみで形成する必要はなく、画線の粗密、いわゆる画線密度の差異をもって形成しても良く、この両方を用いて形成しても何ら問題はない。ただし、各画線群の画線幅や画線の密度については、面積率に換算して５％以上３０％以下に留めることが望ましい。画線間の面積率の差異が５％以下の場合、観察角度領域Ｆにおける第２の画像の視認性は、良好であるものの、観察角度領域Ｅにおける第１の画像の視認性が低くなりすぎて容易に観察できなくなるためであり、同様に３０％以上の場合には、観察角度領域Ｅにおいて第１の画像は容易に視認可能なものの、観察角度領域Ｆにおいて第１の画像が消失しきらず、第１の画像と第２の画像が混ざり合って視認されてしまうためである。立体視を容易に成立させるためには、第１の画像と第２の画像の視認性は可能な限り近づける必要があることから、印刷領域中の画線は、面積率に換算して５％以上３０％以下の差異に留めることが望ましい。
【００７２】
第２の画像を形成するための画線角度の差異については、１５度以上９０度以下で形成することが望ましい。画線角度の差異が１５度以下の場合には、観察角度領域Ｆにおける第２の画像の視認性が低くなりすぎるためである。
【００７３】
各画線群の画線のピッチについては、１０μｍ（０．０１ｍｍ）以上１ｍｍ以下で形成することが望ましい。１０μｍ以下で画線ピッチを形成するには、印刷に関して安価で安定した連続製造手段が存在しないこと、１ｍｍ以上で画線ピッチを形成すると解像度の低いデザインにしか対応できなくなるだけでなく、画線の角度の差も容易に目視上捉えられることから、立体視を行った場合、第１の画像と第２の画像間の画線角度の差異によって視野の闘争（ハレーション）が生じて安定した立体視が望めない可能性が高くなるためである。実施の形態及び後述する実施例１から実施例３においては、各画像要素における画線のピッチを一定にし、画線幅を異ならせることで、各画線要素を構成する画線群の面積率に差異を生じさせているが、これに限定されるものではなく、画線幅を同一にし、ピッチに規則性を持たせることで面積率に差異を生じさせても良い。ピッチに規則性を持たせるとは、ピッチを徐々に大きくしたり徐々に小さくしたり、またその組み合わせのことである。
【００７４】
第１の画像と第２の画像は、同一の画像及び／又は略同一の画像を含んで構成する。「略同一の画像」とは、立体物や三次元の風景に対して、カメラの撮影角度を両眼の位置程度ずらして撮影した写真や画像、両目の位置程度ずらして観察される画像を画像処理ソフト等によって描画して作製した画像のことをいう。本実施の形態においては、左上の図柄（１２ａ、１２ｂ）及び右の図柄（１１ａ、１１ｂ）、左下の図柄（１０ａ、１０ｂ）が同一の画像にあたる。
【００７５】
同一の画像のうち、左上の図柄（１２ａ）と対を成す左上の図柄（１２ｂ）及び右の図柄（１１ａ）と対を成す右上の図柄（１１ｂ）は、各々の図柄の中心を左右方向に所定距離ずらして遠近感を生み出している。この左右方向の所定距離は、一般的な人間の両目間の距離である６５ｍｍ以下に留めなければならない。また、万人がそれと感じる適当な遠近感を生み出すためには、１ｍｍ以上の所定距離で形成する必要があるため、左右方向にずらす所定距離は、１ｍｍ以上６５ｍｍ以下で形成する。ただし、この左右方向の位相の差が大きければ大きいほど立体画像中の遠近感は大きくなるが、目の焦点距離と立体画像中の遠近感が異なるという矛盾も一層強くなるため、本発明においては、２０ｍｍ以下に留めることがより好ましい。
【００７６】
また、左上の図柄（１２ａ）と対を成す左上の図柄（１２ｂ）及び右の図柄（１１ａ）と対を成す右上の図柄（１１ｂ）が後記する実施例３のように略同一の画像である場合は、左上の図柄（１２ａ）と対を成す左上の図柄（１２ｂ）及び右の図柄（１１ａ）と対を成す右上の図柄（１１ｂ）は、各々の図柄の中心を合わせて形成しても良い。これは、もともとの画像が略同一であるため、画像の中心を合わせることで必然的に画像が左右方向にずれることとなり、遠近感を生み出すためである。
【００７７】
また、本実施の形態においては、画像が二階調の場合で説明したため、画像要素は四種類であったが、三階調の場合の画像要素は九種類となり、九種類の画像要素における各面積率及び各画線角度が三種類ずつであることは、前述したとおりである。その場合の面積率は、表現したい画像の階調（色の濃さ）に応じて、濃い色を表現したい場合には面積率を高く形成し、淡い色を表現したい場合には低く形成する。画線角度は、濃い色を表現したい場合には、第２の画像の背景部を形成する画線角度より角度を大きくし、淡い色を表現したい場合には背景部を形成する角度に近い角度で形成する。
【００７８】
以下、前述の発明を実施するための最良の形態にしたがって、具体的に作製した立体視可能な印刷物の実施例について詳細に説明するが、本発明は、この実施例に限定されるものではない。
【実施例１】
【００７９】
図２１に本実施例１における立体視可能な印刷物（１´）を示す。一般的なコート紙である基材（２´）上に、ＵＶスクリーン印刷用の銀インキ（ミラシーン  ウォールステンホルム社製）を用い、ＵＶスクリーン印刷によって、盛り上がりを有し、かつ、光輝性を有する複数の画線から成る画線群によって印刷領域（３´）を形成している。本実施例１における盛り上がりを有する画線の高さは、１０μｍである。また、印刷領域（３´）は、３０ｍｍ×３０ｍｍの角がやや丸くなった正方形を成している。
【００８０】
本実施例１における複数の画像要素は、四種類であり、四種類の画像要素とは、図２２に示す第１の画像要素（４´）、第２の画像要素（５´）、第３の画像要素（６´）、第４の画像要素（７´）である。第１の画像要素（４´）は、ピッチ０．３０ｍｍ、画線幅０．１５ｍｍ、画線角度−１５度の複数の画線を平行に配列して構成し、第２の画像要素（５´）は、ピッチ０．３０ｍｍ、画線幅０．２０ｍｍ、画線角度−１５度の複数の画線を平行に配列して構成し、第３の画像要素（６´）は、ピッチ０．３０ｍｍ、画線幅０．２０ｍｍ、画線角度１５度の複数の画線を平行に配列して構成し、第４の画像要素（７´）は、ピッチ０．３０ｍｍ、画線幅０．１５ｍｍ、画線角度１５度の複数の画線を平行に配列して構成している。なお、図２２中の画像要素（４´、５´、６´、７´）は、いずれも四角形の枠を備えているように図示しているが、四角形の枠についてはそれぞれの画像要素の印刷領域（３´）内での位置関係を示すために印刷領域（３´）の外枠を図示したもので、各画像要素中に実際に存在するものではない。
【００８１】
印刷領域（３´）を形成する四種類の画像要素（４´、５´、６´、７´）は、画線幅０．２０ｍｍの画線と、画線幅０．１５ｍｍの画線で濃淡を付けたと仮定すると、第１の画像要素（４´）と第４の画像要素（７´）は淡くなり背景部が形成され、第２の画像要素（５´）と第３の画像要素（６´）は濃くなり、三つの図柄、本実施例１では、三つの星（１０ａ´、１１ａ´、１２ａ´）から成る画像部が形成され、背景部と画像部とで図２３（ａ）に示す第１の画像（８´）と成る。
【００８２】
また、印刷領域（３´）を形成する四種類の画像要素（４´、５´、６´、７´）は、画線角度−１５度の画線と、画線角度１５度の画線で濃淡を付けたと仮定すると、第１の画像要素（４´）と第２の画像要素（５´）は淡くなり背景部が形成され、第３の画像要素（６´）と第４の画像要素（７´）は濃くなり、三つの図柄、本実施例１では、三つの星（１０ｂ´、１１ｂ´、１２ｂ´）から成る画像部が形成され、背景部と画像部とで図２３（ｂ）に示す第２の画像（９´）と成る。
【００８３】
このように、第１の画像（８´）の画像部及び背景部と、第２の画像（９´）の画像部及び背景部は、四種類の画像要素（４´、５´、６´、７´）の組み合わせによって形成されるが、第１の画像要素（４´）は、第１の画像（８´）と第２の画像（９´）における共有の背景部と成り、第３の画像要素（６´）は、第１の画像（８´）と第２の画像（９´）における共有の画像部と成る。
【００８４】
図２４は、第１の画像（８´）中の三つの星（１０ａ´、１１ａ´、１２ａ´）と第２の画像（９´）中の三つの星（１０ｂ´、１１ｂ´、１２ｂ´）の位置を示したものである。第１の画像（８´）中の星（１０ａ´）と第２の画像（９´）中の星（１０ｂ´）の位置と大きさは、同じであるが、第１の画像（８´）中の星（１１ａ´、１２ａ´）と第２の画像（９´）中の星（１１ｂ´、１２ｂ´）の位置は、実施の形態同様にそれぞれ左右方向にわずかに異なっている。星の大きさについては、星（１１ａ´）と星（１１ｂ´）は同じであり、星（１２ａ´）と星（１２ｂ´）も同じであるが、星（１１ａ´）を基準にすると、星（１１ｂ´）は、左方向に３ｍｍ位相を変えて形成され、星（１２ａ´）を基準にすると、星（１２ｂ´）は、３ｍｍ右方向に位相を変えて形成されている。
【００８５】
よって、図２５（ａ）に示すように、本発明の立体視可能な印刷物（１´）を実施の形態で示した観察者の視点（１５ｂ）で観察した場合は、印刷物（１´）自体はＡ−Ａ´上に存在しているにもかかわらず、図２５（ｂ）に示すように、左上の星（１２ａ´、１２ｂ´）は、Ｂ−Ｂ´上の星（１２ｃ´）に、右の星（１１ａ´、１１ｂ´）は、Ｃ−Ｃ´上の星（１１ｃ´）に、左下の星（１０ａ´、１０ｂ´）は、印刷物が存在するＡ−Ａ´上に存在していると認識された。また、観察者の視点（１５ａ）で観察した場合には、左上の星（１２ａ´、１２ｂ´）と右の星（１１ａ´、１１ｂ´）の奥行き方向の位置関係は逆転して認識された。以上のように、本発明の立体視可能な印刷物（１´）を特定の角度で観察した場合には、印刷領域（３´）中の画像が遠近感を伴って観察することができることを確認することができた。
【実施例２】
【００８６】
本実施例２では、第１の画像と第２の画像が、本実施例１のように同一な画像を備えるのではなく、略同一の画像を備えている場合について説明する。図２６に本実施例２における立体視可能な印刷物（１´´）を示す。一般的なコート紙である基材（２´´）上に、ＵＶフレキソ印刷用の銀インキ（ＵＶフレキソシルバー  Ｔ＆Ｋ  ＴＯＫＡ社製）を用いて、ＵＶフレキソ印刷によって盛り上がりを有し、かつ、光輝性を有する複数の画線から成る画線群によって印刷領域（３´´）を形成している。本実施例２における盛り上がりを有する画線の高さは、３μｍである。また、印刷領域（３´´）は３０ｍｍ×３０ｍｍの角が、やや丸くなった正方形を成している。
【００８７】
本実施例２における複数の画像要素は、四種類であり、四種類の画像要素とは、図２７に示す第１の画像要素（４´´）、第２の画像要素（５´´）、第３の画像要素（６´´）、第４の画像要素（７´´）である。第１の画像要素（４´´）は、ピッチ０．１２ｍｍ、画線幅０．０４ｍｍ、画線角度０度の複数の画線を平行に配列して構成し、第２の画像要素（５´´）は、ピッチ０．１２ｍｍ、画線幅０．０７ｍｍ、画線角度０度の複数の画線を平行に配列して構成し、第３の画像要素（６´´）は、ピッチ０．１２ｍｍ、画線幅０．０７ｍｍ、画線角度９０度（垂直方向）の複数の画線を平行に配列して構成し、第４の画像要素（７´´）は、ピッチ０．１２ｍｍ、画線幅０．０４ｍｍ、画線角度９０度の複数の画線を平行に配列して構成している。なお、図２７中の画像要素（４´´、５´´、６´´、７´´）は、いずれも四角形の枠を備えているように図示しているが、四角形の枠については、それぞれの画像要素の印刷領域（３´´）内での位置関係を示すために印刷領域（３´´）の外枠を図示したもので、各画像要素中に実際に存在するものではない。
【００８８】
印刷領域（３´´）を形成する四種類の画像要素（４´´、５´´、６´´、７´´）は、画線幅０．０４ｍｍの画線と、画線幅０．０７ｍｍの画線で濃淡を付けたと仮定すると、第１の画像要素（４´´）と第４の画像要素（７´´）は淡くなり背景部が形成され、第２の画像要素（５´´）と第３の画像要素（６´´）は濃くなり、一つの図柄、本実施例２では、立方体（１６ａ）から成る画像部が形成され、背景部と画像部とで、図２８（ａ）に示す第１の画像（８´´）となる。
【００８９】
また、印刷領域（３´´）を形成する四種類の画像要素（４´´、５´´、６´´、７´´）は、画線角度０度の画線と、画線角度９０度の画線で濃淡を付けたと仮定すると、第１の画像要素（４´´）と第２の画像要素（５´´）は淡くなり背景部が形成され、第３の画像要素（６´´）と第４の画像要素（７´´）は濃くなり、一つの図柄、本実施例２では、立方体（１６ｂ）から成る画像部が形成され、背景部と画像部とで、図２８（ｂ）に示す第２の画像（９´´）となる。
【００９０】
このように、第１の画像（８´´）の画像部及び背景部と、第２の画像（９´´）の画像部及び背景部は、四種類の画像要素（４´´、５´´、６´´、７´´）の組み合わせによって形成されるが、第１の画像要素（４´´）は、第１の画像（８´´）と第２の画像（９´´）における共有の背景部と成り、第３の画像要素（６´´）は、第１の画像（８´´）と第２の画像（９´´）における共有の画像部と成る。
【００９１】
図２９は、印刷領域（３´´）中の第１の画像（８´´）中の破線で示す立方体（１６ａ）と第２の画像（９´´）中の淡い実線で示す立方体（１６ｂ）の形と位置関係を示したものである。本実施例２において、この二つの立方体（１６ａ、１６ｂ）は、略同一な画像である。二つの立方体（１６ａ、１６ａ、）には、ＸＹ平面と平行な面として、立方体(１６ａ)は、ＸＹ面（１７ａ、１８ａ）を備え、立方体(１６ｂ)は、ＸＹ面（１７ｂ、１８ｂ）を備えている。それぞれのＸＹ平面（１７ａ、１８ａ、１７ｂ、１８ｂ）の大きさ自体は同一であるものの、左右の位相が異なっており、ＸＹ平面（１７ａ）を基準にすると、ＸＹ平面（１７ｂ）は、右に２ｍｍ、ＸＹ平面（１８ａ）を基準にすると、ＸＹ平面（１８ｂ）は、左に２ｍｍずれており、それに伴ってそれぞれのＸＹ平面をつないでいるＺ軸方向の直線の角度も立方体（１６ａ）と立方体（１６ｂ）間ではわずかに異なっており、結果として立方体（１６ａ）と立方体（１６ｂ）とは、完全に同一な画像ではない構成となっている。なお、立体視が成立した場合には、立方体（１６ａ）と立方体（１６ｂ）の中間に位置する実線でしめす立方体（１６ｃ）となって認識されることとなる。ＸＹ平面（１７ａ）とＸＹ平面（１７ｂ）は、融合して新たなＸＹ平面（１７ｃ）となり、ＸＹ平面（１８ａ）とＸＹ平面（１８ｂ）は、融合して新たなＸＹ平面（１８ｃ）となる。
【００９２】
図３０（ａ）に示すように、本発明の立体視可能な印刷物（１´´）を観察者の視点（１５ａ）で観察した場合は、印刷物（１´´）自体はＡ−Ａ´上に存在しているにもかかわらず、ＸＹ平面（１８ｃ）は、Ｂ−Ｂ´上に、ＸＹ平面（１７ｃ）は、Ｃ−Ｃ´上に存在していると認識された。逆に、図３０（ｂ）に示すように、本発明の立体視可能な印刷物（１´´）を観察者の視点（１５ｂ）で観察した場合には、ＸＹ平面（１８ｃ）は、Ｂ−Ｂ´上に、ＸＹ平面（１７ｃ）は、Ｃ−Ｃ´上に存在していると認識された。また、それに伴って、図３１（ａ）に示すように観察者の視点（１５ａ）で認識される立方体（１６ｃ）は、二つのＸＹ平面のうちＸＹ平面（１７ｃ）が手前にあるように感じられることから、立方体を上から見下ろしたような画像として認識され、逆に、図３１（ｂ）に示すように、観察者の視点（１５ｂ）で認識される立方体（１６ｃ）は、二つのＸＹ平面のうちＸＹ平面（１８ｃ）が手前にあるように感じられることから、立方体を下から見上げたような画像として認識された。以上のように本発明の立体視可能な印刷物（１´´）を特定の角度で観察した場合には、印刷領域（３´´）中の画像が遠近感を伴って観察することができるだけでなく、観察角度までもが変化したように認識することができることを確認することができた。
【実施例３】
【００９３】
本実施例３では、第１の画像と第２の画像が、立体物をカメラで撮影した写真を加工することによって作製した略同一な画像であって、その画像が２値画像でなく多階調を備えている例について記載する。図３２に本実施例３における立体視可能な印刷物（１´´´）を示す。一般的なコート紙である基材（２´´´）上に、ＵＶフレキソ印刷用の銀インキ（ＵＶフレキソシルバー  Ｔ＆Ｋ  ＴＯＫＡ社製）を用いてＵＶフレキソ印刷によって、盛り上がりを有し、かつ、光輝性を有する複数の画線から成る画線群によって印刷領域（３´´´）を形成している。本実施例３における盛り上がりを有する画線の高さは３μｍである。また、印刷領域（３´´´）は、幅５０ｍｍ×高さ６０ｍｍの正方形を成している。
【００９４】
本実施例３における複数の画像要素は、九種類であり、九種類の画像要素とは、図３３に示す第１の画像要素（１９）、第２の画像要素（２０）、第３の画像要素（２１）、第４の画像要素（２２）、第５の画像要素（２３）、第６の画像要素（２４）、第７の画像要素（２５）、第８の画像要素（２６）、第９の画像要素（２７）である。第１の画像要素（１９）は、ピッチ０．１２ｍｍ、画線幅０．０４ｍｍ、画線角度９０度の複数の画線を平行に配列して構成し、第２の画像要素（２０）は、ピッチ０．１２ｍｍ、画線幅０．０６ｍｍ、画線角度９０度の複数の画線を平行に配列して構成し、第３の画像要素（２１）は、ピッチ０．１２ｍｍ、画線幅０．０８ｍｍ、画線角度９０度の複数の画線を平行に配列して構成し、第４の画像要素（２２）は、ピッチ０．１２ｍｍ、画線幅０．０４ｍｍ、画線角度４５度の複数の画線を平行に配列して構成し、第５の画像要素（２３）は、ピッチ０．１２ｍｍ、画線幅０．０６ｍｍ、画線角度４５度の複数の画線を平行に配列して構成し、第６の画像要素（２４）は、ピッチ０．１２ｍｍ、画線幅０．０８ｍｍ、画線角度４５度の複数の画線を平行に配列して構成し、第７の画像要素（２５）は、ピッチ０．１２ｍｍ、画線幅０．０４ｍｍ、画線角度０度の複数の画線を平行に配列して構成し、第８の画像要素（２６）は、ピッチ０．１２ｍｍ、画線幅０．０６ｍｍ、画線角度０度の複数の画線を平行に配列して構成し、第９の画像要素（２７）は、ピッチ０．１２ｍｍ、画線幅０．０８ｍｍ、画線角度０度の複数の画線を平行に配列して構成している。なお、図３３中のすべての画像要素（１９、２０、２１、２２、２３、２４、２５、２６、２７）は、いずれも四角形の枠を備えているように図示しているが、四角形の枠についてはそれぞれの画像要素の印刷領域（３´´´）内での位置関係を示すために印刷領域（３´´´）の外枠を図示したもので、各画像要素中に実際に存在するものではない。
【００９５】
印刷領域（３´´´）を形成する九種類の画像要素において、画線幅０．０４ｍｍの画線と、画線幅０．０６ｍｍと、画線幅０．０８ｍｍの画線幅に応じて順に淡・中・濃の濃淡を付けたと仮定すると、第１の画像要素（１９）と第４の画像要素（２２）と第７の画像要素（２５）は淡くなり背景部が形成され、第２の画像要素（２０）と第５の画像要素（２３）と第８の画像要素（２６）は濃くなり第一の階調と成るとともに、第３の画像要素（２１）と第６の画像要素（２４）と第９の画像要素（２７）はさらに濃くなり第二の階調と成り、一つの図柄、本実施例３では、鳳凰の像（２８ａ）から成る画像部が形成され、背景部と画像部とで、図３４（ａ）に示す第１の画像（８´´´）となる。
【００９６】
また、印刷領域（３´´´）を形成する九種類の画像要素は、画線角度９０度の画線と、画線角度４５度の画線と、画線角度０度の画線で順に淡・中・濃の濃淡を付けたと仮定すると、第１の画像要素（１９）と第２の画像要素（２０）と第３の画像要素（２１）は淡くなり背景部が形成され、第４の画像要素（２２）と第５の画像要素（２３）と第６の画像要素（２４）は濃くなり第一の階調と成るとともに、第７の画像要素（２５）と第８の画像要素（２６）と第９の画像要素（２７）はさらに濃くなり第二の階調と成り、一つの図柄、本実施例３では、鳳凰の像（２８ｂ）から成る画像部が形成され、背景部と画像部とで、図３４（ｂ）に示す第２の画像（９´´´）となる。
【００９７】
このように、第１の画像（８´´´）の画像部及び背景部と、第２の画像（９´´´）の画像部及び背景部は、九種類の画像要素（１９、２０、２１、２２、２３、２４、２５、２６、２７）の組み合わせによって形成されるが、第７の画像要素（２５）は、第１の画像（８´´´）と第２の画像（９´´´）における共有の背景部と成り、第５の画像要素（２３）は、第１の画像（８´´´）と第２の画像（９´´´）における共有の画像部のる第一の階調の部分と成り、第３の画像要素（２１）は、第１の画像（８´´´）と第２の画像（９´´´）における共有の画像部のる第二の階調の部分と成る。
【００９８】
第１の画像（８´´´）の鳳凰の像（２８ａ）と、第２の画像（９´´´）の鳳凰の像（２８ｂ）は、図３５に示すように、真の立体物である鳳凰の銅像（２９）を左側のカメラ（３０ａ）と右側のカメラ（３０ｂ）を用いて撮影した写真を加工した画像である。両カメラ（３０ａ、３０ｂ）ともに鳳凰の銅像（２９）が完全にカメラのフレーム内に収まるだけの距離を等しく取り、カメラ（３０ａ）とカメラ（３０ｂ）は両眼の距離にあたる６５ｍｍ左右に離して撮影した。画像の加工には一般的な画像処理ソフトを使用し、第１の画像（８´´´）及び第２の画像（９´´´）ともに背景を含めて３階調に処理をした。図３６は、印刷領域（３´´´）中の第１の画像（８´´´）中の鳳凰の像（２８ａ）と第２の画像（９´´´）中の鳳凰の像（２８ｂ）の形と位置関係を示したものである。本実施例において、この二つの鳳凰の像（２８ａ、２８ｂ）が略同一な画像である。二つの鳳凰の像（２８ａ、２８ｂ）は、それぞれの画像の中心を一致させて配置している。
【００９９】
図３７に示すように、本発明の立体視可能な印刷物（１´´´）を実施の形態で示した観察者の視点（１５ｂ）で観察した場合は、二つの鳳凰の像（２８ａ、２８ｂ）が融合した立体的な鳳凰の像（２８ｃ）が認識され、また、印刷物（１´´´）自体はＡ−Ａ´上に存在しているにもかかわらず、鳳凰の腹の部分はＡ−Ａ´よりも手前に、鳳凰の尾の部分はＡ−Ａ´よりも奥側に、存在しているかのように認識することができた。
【符号の説明】
【０１００】
１、１´、１´´、１´´´          立体視可能な印刷物
２、２´、２´´、２´´´          基材
３、３´、３´´、３´´´          印刷領域
４、４´、４´´          第１の画像要素
５、５´、５´´          第２の画像要素
６、６´、６´´          第３の画像要素
７、７´、７´´          第４の画像要素
８、８´、８´´、８´´´          第１の画像
９、９´、９´´、９´´´          第２の画像
１０ａ、１０ｂ、１０ｃ          図柄
１０ａ´、１０ｂ´、１０ｃ´          星
１１ａ、１１ｂ、１１ｃ          図柄
１１ａ´、１１ｂ´、１１ｃ´          星
１２ａ、１２ｂ、１２ｃ、          図柄
１２ａ´、１２ｂ´、１２ｃ´          星
１３          光源
１４          視点
１５ａ、１５ｂ          観察者の視点
１６ａ、１６ｂ、１６ｃ          立方体
１７ａ、１７ｂ、１７ｃ          立方体のＸＹ面に平行な面
１８ａ、１８ｂ、１８ｃ          立方体のＸＹ面に平行な面
１９          第１の画像要素
２０          第２の画像要素
２１          第３の画像要素
２２          第４の画像要素
２３          第５の画像要素
２４          第６の画像要素
２５          第７の画像要素
２６          第８の画像要素
２７          第９の画像要素
２８ａ、２８ｂ、２８ｃ          鳳凰の像
２９          鳳凰の銅像
３０ａ、３０ｂ          カメラ
３１ａ          盛り上がりのある細い画線
３１ｂ          盛り上がりのある太い画線
３２ａ          盛り上がりのある垂直画線
３２ｂ          盛り上がりのある水平画線
３３、３４、３５          第４の画像要素を基準にした場合の各画像要素の色差を表す折れ線
Ｌ１*、ａ１*、ｂ１*          画線群３１ａのＬ*、ａ*、ｂ*
Ｌ２*、ａ２*、ｂ２*          画線群３１ｂのＬ*、ａ*、ｂ*
Ｌ１*´、ａ１*´、ｂ１*´          画線群３２ａのＬ*、ａ*、ｂ*
Ｌ２*´、ａ２*´、ｂ２*´          画線群３２ｂのＬ*、ａ*、ｂ*
【図１】
2010264658.tif 000003
【図２】
2010264658.tif 000004
【図３】
2010264658.tif 000005
【図４】
2010264658.tif 000006
【図５】
2010264658.tif 000007
【図６】
2010264658.tif 000008
【図７】
2010264658.tif 000009
【図８】
2010264658.tif 000010
【図９】
2010264658.tif 000011
【図１０】
2010264658.tif 000012
【図１１】
2010264658.tif 000013
【図１２】
2010264658.tif 000014
【図１３】
2010264658.tif 000015
【図１４】
2010264658.tif 000016
【図１５】
2010264658.tif 000017
【図１６】
2010264658.tif 000018
【図１７】
2010264658.tif 000019
【図１８】
2010264658.tif 000020
【図１９】
2010264658.tif 000021
【図２０】
2010264658.tif 000022
【図２１】
2010264658.tif 000023
【図２２】
2010264658.tif 000024
【図２３】
2010264658.tif 000025
【図２４】
2010264658.tif 000026
【図２５】
2010264658.tif 000027
【図２６】
2010264658.tif 000028
【図２７】
2010264658.tif 000029
【図２８】
2010264658.tif 000030
【図２９】
2010264658.tif 000031
【図３０】
2010264658.tif 000032
【図３１】
2010264658.tif 000033
【図３２】
2010264658.tif 000034
【図３３】
2010264658.tif 000035
【図３４】
2010264658.tif 000036
【図３５】
2010264658.tif 000037
【図３６】
2010264658.tif 000038
【図３７】
2010264658.tif 000039